(57)【要約】【課題】光源ユニットの過熱を抑止でき、しかも光源放熱装置及び照射装置の小型化、軽量化、更には省電力化を実現する。【解決手段】光源放熱装置１は、光源２から照射される光をリフレクタで反射する光源ユニット４と、光源２の光を射出する射出口５を有する伝熱ハウジング６と、伝熱ハウジング６に一端を接続し他端を伝熱ハウジング６の外部へ延出したヒートパイプｈ１と、ヒートパイプｈ１の他端に設けられたフィン等の放熱手段と、伝熱ハウジング６の射出口５から射出される光に含まれる可視光線を反射し赤外線及び紫外線を吸収する分光吸収手段７とを備える。【選択図】図１
2008226638.tif 000002
【特許請求の範囲】
【請求項１】
光源から照射される光に含まれる可視光線、赤外線、及び紫外線をリフレクタで反射する光源ユニットと、
前記光源ユニットのリフレクタに一端を接続し、他端に放熱手段が設けられたヒートパイプと、
前記光源の光を可視光線、赤外線、及び紫外線に分光し、赤外線及び紫外線を吸収する分光吸収手段とを備えることを特徴とする光源放熱装置。
【請求項２】
前記分光吸収手段が、可視光線を反射し赤外線及び紫外線を透過させるコールドミラーと、前記コールドミラーを透過した赤外線及び紫外線を熱に換えて吸収する吸収体と、前記吸収体に一端を接続し他端に放熱手段を設けたヒートパイプとを備えることを特徴とする請求項１に記載の光源放熱装置。
【請求項３】
前記光源ユニットが、その光源の光を射出する射出口を開放した伝熱ハウジングに内装され、前記ヒートパイプの他端が前記伝熱ハウジングの外部に延出したことを特徴とする請求項１又は２に記載の分光放熱装置。
【請求項４】
前記光源ユニットが、その光源を支持する支持材を備え、前記支持材に前記リフレクタを形成し、前記伝熱ハウジングに、前記支持材を嵌入する嵌入孔を形成したことを特徴とする請求項３に記載の光源放熱装置。
【請求項５】
前記支持材が先端及び後端を有し、前記支持材の先端から後端を貫くランプ挿入孔に、前記光源を挿入し、前記支持材の後端に、ヒートパイプを介して放熱手段を接続したことを特徴とする請求項４に記載の光源放熱装置。
【請求項６】
光源から照射される光をリフレクタで反射する光源ユニットと、
前記光源ユニットの光源に給電する電源装置と、
前記光源ユニットのリフレクタに一端を接続し、他端に放熱手段が設けられたヒートパイプと、
前記電源装置に一端を接続し、他端に放熱手段が設けられた電源用ヒートパイプとを備えることを特徴とする照射装置。
【発明の詳細な説明】
【技術分野】
【０００１】
本発明は、画像を投影するプロジェクタ等に適用できる光源放熱装置、及び照射装置に関する。
【背景技術】
【０００２】
従来、画像を投影するプロジェクタの光源として、超高圧水銀ランプ又はキセノンランプ等が適用されている。このような光源は著しく高温になるので、光源の発する熱がプロジェクタの内部に蓄積するのを抑制するために、光源の周囲又は光源を収納するランプハウスの内部にファンで送風することが知られている。上記の光源が照射する光は、可視光線の他に、プロジェクタの液晶や偏光素子を劣化させる原因となる紫外線及び赤外線を多く含んでいる。また、光源の熱には、光源の周囲に伝導する伝導熱と、赤外線として放射される放射熱とがある。
【０００３】
特許文献１，２には、光源の光を反射するガラス製のリフレクタに、ヒートパイプの一端を接続し、このヒートパイプの他端に設けたフィンを空冷することにより、リフレクタの放熱を促す技術が開示されている。ガラス製のリフレクタは、可視光線だけを反射する反射層がコーティングされているので、上記の伝導熱と放射熱の一部を受ける。
【０００４】
近年、高輝度な光源が一層求められており、光源の出力が増大されるに従ってリフレクタが過度に加熱される。このため、ヒートパイプの本数を増やしフィンを増設する等しても、リフレクタの温度を下げるのは難しい。また、プロジェクタを構成する部品を、リフレクタに蓄積される熱から遮断するには、リフレクタとプロジェクタの部品とを離して配置し、或いはリフレクタとプロジェクタの部品とを断熱材で仕切るような断熱対策が不可欠となる。このため、プロジェクタの大型化は避けられない。
【０００５】
特許文献３には、光源から照射される光を金属製のリフレクタで反射する光源ユニットにより、光源の光に含まれる可視光線、赤外線、及び紫外線をコールドミラーまで到達させ、このコールドミラーをファンで空冷する技術が開示されている。コールドミラーは概ね放射熱を受けることが同文献に記されている。しかしながら、光源ユニットとコールドミラーとの間に、上記のような断熱対策を施さなければ、光源ユニットに発生した熱がコールドミラーまで伝わることになる。その分、ファンの風量を増大する等して、コールドミラーの冷却を助けなければならない。
【特許文献１】特開２００２−３５２６１２号公報
【特許文献２】特開２００５−３３８２８２号公報
【特許文献３】特開２００６−３３７９４０号公報
【発明の開示】
【発明が解決しようとする課題】
【０００６】
本発明は、上記の実情に鑑みて為されたものであり、光源ユニットの過熱を抑止でき、しかも光源放熱装置及び照射装置の小型化、軽量化、更には省電力化を実現することを目的とする。
【課題を解決するための手段】
【０００７】
本発明に係る光源放熱装置は、光源から照射される光に含まれる可視光線、赤外線、及び紫外線をリフレクタで反射する光源ユニットと、前記光源ユニットのリフレクタに一端を接続し他端に放熱手段が設けられたヒートパイプと、前記光源の光を可視光線、赤外線、及び紫外線に分光し赤外線及び紫外線を吸収する分光吸収手段とを備えることを特徴とする。
【０００８】
更に、本発明に係る光源放熱装置は、前記分光吸収手段が、可視光線を反射し赤外線及び紫外線を透過させるコールドミラーと、前記コールドミラーを透過した赤外線及び紫外線を熱に換えて吸収する吸収体と、前記吸収体に一端を接続し他端に放熱手段を設けたヒートパイプとを備えることを特徴とする。
【０００９】
更に、本発明に係る光源放熱装置は、前記光源ユニットが、その光源の光を射出する射出口を開放した伝熱ハウジングに内装され、前記ヒートパイプの他端が前記伝熱ハウジングの外部に延出したことを特徴とする。
【００１０】
更に、本発明に係る光源放熱装置は、前記光源ユニットが、その光源を支持する支持材を備え、前記支持材に前記リフレクタを形成し、前記伝熱ハウジングに、前記支持材を嵌入する嵌入孔を形成したことを特徴とする。
【００１１】
更に、本発明に係る光源放熱装置は、前記支持材が先端及び後端を有し、前記支持材の先端から後端を貫くランプ挿入孔に、前記光源を挿入し、前記支持材の後端に、ヒートパイプを介して放熱手段を接続したことを特徴とする。
【００１２】
本発明に係る照射装置は、光源から照射される光をリフレクタで反射する光源ユニットと、前記光源ユニットの光源に給電する電源装置と、前記光源ユニットのリフレクタに一端を接続し他端に放熱手段が設けられたヒートパイプと、前記電源装置に一端を接続し他端に放熱手段が設けられた電源用ヒートパイプとを備えることを特徴とする。
【発明の効果】
【００１３】
本発明に係る光源放熱装置によれば、光源から照射される光に含まれる可視光線、赤外線、及び紫外線をリフレクタで反射するので、リフレクタは、光源からの伝導熱を受けて加熱されるが、放射熱を直に受けない分、その温度上昇が抑制される。しかも、リフレクタが光源から受けた伝導熱は、ヒートパイプを通して放熱手段まで瞬時に移動するので、リフレクタに伝導熱が蓄積することがない。これにより、リフレクタの温度を比較的低く保てるので、例えばプロジェクタに当該光源放熱装置を適用する場合に、リフレクタとプロジェクタの部品とを接近させても良く、或いは両者間に厚手の断熱材を介在させるような断熱対策を行わなくて良いので、同プロジェクタの小型化に有利である。
【００１４】
一方、分光吸収手段は、光源の光を分光しその光に含まれる赤外線及び紫外線を吸収できるので、光源の光から赤外線及び紫外線を除去することができる。特に、分光吸収手段が、コールドミラーで可視光線を反射し、このコールドミラーを透過した赤外線及び紫外線を吸収体が熱に換えて吸収するものである場合、赤外線及び紫外線を熱として排出できるので、光源の周囲へ放射熱が伝わるのを予防することができる。また、吸収体の熱は、ヒートパイプを通して放熱手段まで瞬時に移動するので、吸収体に熱が蓄積することはない。これにより、分光吸収手段の温度上昇を抑制できるので、分光吸収手段と上記のプロジェクタの部品とを接近させても良く、或いは両者間に厚手の断熱材を介在させるような断熱対策を行わなくて良いので、同プロジェクタの小型化に有利である。
【００１５】
更に、本発明に係る光源放熱装置によれば、光源ユニットを伝熱ハウジングに内装し、リフレクタで反射される光源の光を、伝熱ハウジングの射出口から射出させるので、伝熱ハウジングが、光源ユニットの周囲へ広がろうとする光を遮蔽し、光源から放射熱が拡散するのを防止できる。しかも、伝熱ハウジングは、リフレクタが光源から受けた伝導熱がその周囲へ広がるのを断つことができる。このため、光源ユニットの周囲に余計な熱が伝わらないようにするための断熱対策は重要でなくなるので、当該光源放熱装置を小型化できることに加え、プロジェクタの小型化に一層有利である。
【００１６】
更に、本発明に係る光源放熱装置によれば、光源を支持する支持材にリフレクタを形成し、この支持材を伝熱ハウジングの嵌入孔に嵌入することにより、光源ユニットを伝熱ハウジングに取付けることができる。また、伝熱ハウジングの嵌入孔から支持材を抜き出すだけで、光源ユニットの取外しができるので、光源ユニットの交換が容易である。また、支持材の先端から後端を貫くランプ挿入孔に光源を挿入し、支持材の後端にヒートパイプを介して放熱手段を接続した場合、ヒートパイプがリフレクタから放熱手段へ伝導熱を移動させる作用が顕著になる。
【００１７】
本発明に係る照射装置によれば、リフレクタが光源から受ける伝導熱をヒートパイプを通して放熱手段まで移動させることができ、しかも電源装置に発生する熱を、電源用ヒートパイプを通して上記の放熱手段、又は別の放熱手段まで、瞬時に移動させることができる。このため、リフレクタ及び電源装置の放熱を１又は２つの放熱手段で担えるので、当該照射装置の部品点数を減らすことができ、また放熱手段を配置するスペースを節約することで、当該照射装置の小型化を実現することができる。
【００１８】
また、リフレクタ及び電源装置の熱が放熱手段まで移動した時点で、これらの熱は放熱手段から空気中へ放熱され、リフレクタ、電源装置、及び放熱手段に余計な熱が蓄積されることがないので、リフレクタと放熱手段との間、及び電源装置と放熱手段との間で相互の均熱化（熱の分散）を実現し、リフレクタ、電源装置、及び放熱手段の温度差を小さくできる。このため、リフレクタ、電源装置、及び放熱手段の何れかが他の要素よりも著しく温度上昇することがなく、これらの周囲の断熱対策は重要でなくなるので、当該照射装置を小型化するのに有利である。
【発明を実施するための最良の形態】
【００１９】
以下に、本発明に係る光源放熱装置を実施例１で説明し、この光源放熱装置を備えた照射装置を実施例２，３で説明する。光源放熱装置の作用及び同装置による効果は、照射装置によっても達成できるので、実施例１で述べた事項は実施例２，３で省略する。また、各実施例に共通する要素には一貫して同じ符号、又は同じ呼称を用いるものとする。
【実施例１】
【００２０】
図１，２に示す光源放熱装置１は、光源２から照射される光をリフレクタ３で反射する光源ユニット４と、光源２の光を射出する射出口５を有する伝熱ハウジング６と、伝熱ハウジング６に受熱挟着材６０を介して一端を接続し他端を伝熱ハウジング６の外部へ延出したヒートパイプｈ１と、ヒートパイプｈ１の他端に設けられた後述の放熱手段と、伝熱ハウジング６の射出口５から射出される光に含まれる可視光線を反射し赤外線及び紫外線を吸収する分光吸収手段７とを備える。
【００２１】
光源２は、超高圧水銀ランプ、キセノンランプ、メタルハライドランプ、ＬＩＦＩ光源等から選択されるものである。リフレクタ３は、円柱状の金属ブロックから成る支持材４１の端部に、切削加工を施して形成された回転楕円又は放物線の３次元形状の反射面である。支持材４１は、光源２の基部を支持するホルダの役割を兼ねるもあり、その形状又は寸法が限定されることはない。リフレクタ３には、アルミ薄膜及び増反射膜が積層されており、光源２から照射される光に含まれる可視光線、赤外線、及び紫外線は、リフレクタ３によって伝熱ハウジング６の射出口５へ向けて反射される。
【００２２】
伝熱ハウジング６は、嵌入孔６１が形成された後部材６２と、射出口５が形成された函形の前部材６３とを接合したものである。前部材６３は、その両側に２つの通気孔６４が開放されている。図に表れていないファンで、２つの通気孔６４のうちの一方から他方へ向けて伝熱ハウジング６の内部を吹き抜けるよう送風できる。これにより光源２を空冷し、光源２の伝導熱を受けた空気を伝熱ハウジング６から排気できる。更に、前部材６３は、射出口５に凹レンズ５１が設けられている。凹レンズ５１は、リフレクタ３が上記の回転楕円であるとき、このリフレクタ３で集光された光を平行光線にするものである。
【００２３】
図３は、リフレクタ３の支持材４１と伝熱ハウジング６の前部材６３とを一体化した例を示している。このような支持材４１を、図２に示す後部材６２の嵌入孔６１に嵌入するだけで、光源ユニット４を伝熱ハウジング６の適切な位置に取付けることができる。また、支持材４１を嵌入孔６１から抜き出すだけで、光源ユニット４を伝熱ハウジング６から取外すことができる。
【００２４】
ヒートパイプｈ１は、これに封入された水等の液体の蒸発と凝縮による作用に基づき、蒸気を媒体とした熱の移動ができるものであれば良い。受熱挟着材６０は、２枚の金属板の間にヒートパイプｈ１の一端を挟んだ状態で、これらの金属板と共にヒートパイプｈ１を伝熱ハウジング６の上面にボルト等で締付けるものである。受熱挟着材６０を省略し、ヒートパイプの一端を伝熱ハウジング６に直結しても良い。支持材４１、伝熱ハウジング６、及び受熱挟着材６０の材質は、耐熱性に優れ熱伝導に適したアルミニウム等の軽金属が好ましい。
【００２５】
図２に記した破線の矢印Ａは可視光線が進む方向を表し、図４に記した実線の矢印Ｂは赤外線及び紫外線が進む方向を表している。分光吸収手段７は、可視光線を反射でき赤外線及び紫外線を背面へ透過させるコールドミラー８と、コールドミラー８に空隙を隔て対面し赤外線及び紫外線を熱に換えて吸収する吸収体９と、吸収体９に一端を接続し他端に放熱手段１０が設けられたヒートパイプｈ２とを備える。
【００２６】
コールドミラー８は、ガラス板の表面に酸化ケイ素、及び酸化チタンを、交互に積層したものである。吸収体９は、基板に黒色耐熱塗料を塗布し、又は黒化処理された無電解ニッケル鍍金層を形成することにより、凹凸状の受光面９１が形成されている。コールドミラー８及び吸収体９は、図５に示すように函形支持体１１に取付けられており、図２に示す光源２から照射される光の照射方向に対して４５°方向に傾いている。函形支持体１１は、光導入口１２及び光導出口１３を互いに交差する方向にそれぞれ開放し、光導入口１２を伝熱ハウジング６の射出口５に接合している。函形支持体１１の光導出口１３には、可視光線を透過させ赤外線及び紫外線を反射するＩＲ／ＵＶカットフィルタ１３１が設けられている。
【００２７】
放熱手段１０は、ヒートパイプｈ２の他端に複数枚のフィン１０１を接合したものである。この場合、ヒートパイプｈ１，ｈ２のそれぞれの他端を１つの放熱手段１０に接続しても良く、或いはヒートパイプｈ１，ｈ２の他端に、個別の放熱手段１０をそれぞれ接合しても良い。また、放熱手段１０のフィン１０１同士の間に、ファン等で送風するようにしても良い。
【００２８】
光源放熱装置１によれば、光源２から照射される赤外線及び紫外線をリフレクタ３で反射できるので、リフレクタ３は光源２からの伝導熱を受けて加熱されるが、光源２から放射熱を直に受けることはない。その分、リフレクタ３の温度上昇が抑制されることになる。しかも、リフレクタ３が光源２から受けた伝導熱は、ヒートパイプｈ１を通して放熱手段１０まで瞬時に移動するので、リフレクタ３及び伝熱ハウジング６に伝導熱が蓄積することがない。このため、リフレクタ３が光源２から伝導熱及び放射熱の一部を同時に受けるという従来の構成に比較して、リフレクタ３の温度を低く保つのに有利である。
【００２９】
例えば、プロジェクタに光源放熱装置１を適用する場合、リフレクタ３とプロジェクタの部品とを接近させられるので、プロジェクタの小型化に有利である。また、リフレクタ３とプロジェクタの部品との間に厚手の断熱材を介在させるような断熱対策を行わなくて良く、或いは、断熱材の周りに、放熱のために高熱伝導性金属板の設置対策を施さなくても良いので、プロジェクタの小型化に有利である。
【００３０】
また、光源２から照射される光には、リフレクタ３で反射されて伝熱ハウジング６の射出口５へ向う光と、射出口５へ直接向う光とがある。光源２の光が射出口５から射出されるまでの行程で、伝熱ハウジング６は、光源ユニット４の周囲へ不要に広がろうとする光を遮蔽し、光源２から放射熱が拡散するのを予防することができる。しかも、伝熱ハウジング６は、リフレクタ３が光源２から受けた伝導熱がその周囲へ広がるのを断てるので、リフレクタ３から分光吸収手段７へ余計な熱が伝導することがない。このため、リフレクタ３及び分光吸収手段７を互いに接近させても良いので、光源放熱装置１を小型化できることに加え、上記のプロジェクタの小型化に一層有利である。
【００３１】
更に、射出口５から射出された光に含まれる可視光線は、コールドミラー８により光導出口１３へ向けて反射され、赤外線及び紫外線はコールドミラー８を透過し吸収体９に吸収される。これにより大部分の赤外線及び紫外線は除去されるが、僅かな赤外線及び紫外線がコールドミラー８に反射され、可視光線に混じって残存する。そして、残存した赤外線及び紫外線は、ＩＲ／ＵＶカットフィルタ１３１に達したところで、同フィルタによりコールドミラー８へ向けて反射されるので、コールドミラー８を透過し吸収体９に吸収される。
【００３２】
一方、光源２の放射熱は、吸収体９が上記のように赤外線及び紫外線を吸収するとにより発生する熱である。この放射熱は、ヒートパイプｈ２の一端から放熱手段１０まで瞬時に移動するので、吸収体９及び函形支持体１１には殆ど光源２の放射熱が蓄積することがなく、吸収体９の温度は比較的低く保たれる。しかも、分光吸収手段７は、赤外線及び紫外線を熱として排出できるので、光源２の周囲へ放射熱が伝わるのを予防することができる。
【００３３】
以上に述べたように、光源放熱装置１の作用は、ヒートパイプｈ１により伝導熱を放熱手段１０へ移動させる段階と、ヒートパイプｈ２により放射熱を放熱手段１０へ移動させる段階に分かれているので、リフレクタ３又は吸収体９の片方だけが過度に加熱されることがない。また、リフレクタ３及び吸収体９から放熱手段１０まで熱が移動した時点で、これらの熱は放熱手段１０から空気中へ放熱されるので、リフレクタ３、吸収体９、及び放熱手段１０の間で相互の均熱化を実現でき、これらの要素の何れかが著しく高温になるという不具合は起こらない。
【実施例２】
【００３４】
図６に示す照射装置１５は、光源放熱装置１と、光源ユニット４の光源２に給電する電源装置１６と、光源ユニット４のリフレクタ３に一端を接続したヒートパイプｈ１と、分光吸収手段７の吸収体９に一端を接続したヒートパイプｈ２と、電源装置１６に受熱板１６０を介して一端を接続した電源用ヒートパイプｈ３と、ヒートパイプｈ１，ｈ２及び電源用ヒートパイプｈ３のそれぞれの他端が接続された放熱手段１０とを備える。
【００３５】
更に、照射装置１５は、光源放熱装置１と組合されてプロジェクタの機能を実現する投影用部品を備える。例えば、図７に示すように、分光吸収手段７のコールドミラー８に反射された可視光線は、ダイクロイックミラーｍ１，ｍ２によって波長別にそれぞれ３方向に分けて反射される。これら３方向の光は、文字又は図形が結像される液晶パネル１６１をそれぞれ通過し、プリズム１６２で互いに重ね合わされることにより画像を形成し、投影レンズ１６３を経てスクリーン等に投影される。
【００３６】
照射装置１５の筐体１６４の内部には電動の送風ファン１６５が設けられ、筐体１６４の適所にスリット等の通気孔が開放されている。このため、送風ファン１６５を起動させれば、筐体１６４の通気孔を通り抜ける空気が、矢印Ｃで示すように放熱手段１０のフィン１０１の間を流れ、放熱手段１０を積極的に冷却することができる。この他、液晶パネル１６１又は送風ファン１６５に給電するための電源装置が発生する熱を、図に表れていないヒートパイプを通して放熱手段１０へ逃すようにしても良い。
【００３７】
ヒートパイプｈ１は、適度な可塑性を有し所望の形状に曲げられることに加え、ヒートパイプｈ１の長さ分、光源放熱装置１の光源ユニット４と放熱手段１０とを適当に離せるので、光源ユニット４の配置を放熱手段１０に対して自由にレイアウトできる。同様に、分光吸収手段７及び電源装置１６をそれぞれ自由にレイアウトできる。従って、照射装置１５を構成する要素の配置は、図６，７の形態に限定されることはない。
【００３８】
以上に述べた照射装置１５によれば、リフレクタ３が光源２から受ける伝導熱をヒートパイプｈ１を通して放熱手段１０まで移動させることができ、しかも分光吸収手段７の吸収体９、及び電源装置１６に発生する熱を、それぞれヒートパイプｈ２及び電源用ヒートパイプｈ３を通して放熱手段１０まで移動させることができる。このため、リフレクタ３、吸収体９、及び電源装置１６の放熱を１つの放熱手段１０が担えるので、照射装置１５の部品点数を減らすことができ、しかも放熱手段１０を配置するスペースを節約することで、照射装置１５の小型化を実現することができる。
【００３９】
また、リフレクタ３、吸収体９、及び電源装置１６から放熱手段１０まで熱が移動した時点で、これらの熱が放熱手段１０から空気中へ放熱され、これらの要素の間で相互の均熱化を実現できるので、リフレクタ３、吸収体９、電源装置１６、又は放熱手段１０の何れかが著しく温度上昇することはない。このため、光源放熱装置１及び電源装置１６の周囲の断熱対策は重要でなくなるので、照射装置１５の部品点数を増大させなくて済み、照射装置１５の全体を小型化するのに有利である。また、照射装置１５の電源をＯＦＦにした後で、送風ファン１６５に通電しなくても、ヒートパイプｈ１，ｈ２及び電源用ヒートパイプｈ３は、その機能を十分果たすことができる。
【実施例３】
【００４０】
本実施例では、支持材４１にリフレクタ３が形成された部位を先端と記し、リフレクタ３と反対側の部位を後端と記す。図８に示すように、支持材４１には、その後端から突出するスリーブ４２が一体に設けられている。受熱挟着材６０に形成された嵌着孔６５にスリーブ４２を嵌入させると、図９に示すように、受熱挟着材６０がスリーブ４２に密接し支持材４１に固定される。この状態で、支持材４１の後端にヒートパイプｈ４の一端を接続し、光源２の基部とヒートパイプｈ４の一端とを、互いに接近させることができる。
【００４１】
光源２にヒートパイプｈ４を一層近づけるために、スリーブ４２の肉厚は、物理的強度を保てる限り薄くするのが望ましい。符号６０３は、受熱挟着材６０の２枚の金属板６０１，６０２の間にヒートパイプｈ４の一端を締付けるボルトを指している。
【００４２】
図１０（ａ）に示すように、支持材４１は、その先端から後端を貫くランプ挿入孔４３が形成されている。光源２はその先端付近から光を照射するため、ランプ挿入孔４３には、光源２の基部が挿入されている。同図（ｂ）は、支持材４１の後端に傾斜面４４を設け、金属板６０１を傾斜面４４に密着させた例を示している。また、光源２から支持材４１への熱伝導を良好にするために、ランプ挿入孔４３の内周面と光源２との間を、セラミック成分の充填材４５で満たすことが好ましく、更に両者の間に金属製のパイプ等を介在させても良い。
【００４３】
また、実施例２では、全てのヒートパイプの他端を１つの放熱手段に接続したが、伝熱ハウジング６及び電源装置１６に比較して、分光吸収手段７の吸収体９、及び支持材４１の後端が高温になることに着目し、本実施例では放熱手段を２つに分割する。このため、図１１に示すように、ヒートパイプｈ２，ｈ４のそれぞれの他端を、第１の放熱手段１１０に接続し、ヒートパイプｈ１及び電源用ヒートパイプｈ３のそれぞれの他端を第２の放熱手段１２０に接続する。
【００４４】
上記のように、支持材４１の後端にヒートパイプｈ４を接続したことにより、ヒートパイプｈ４がリフレクタ３から放熱手段１０へ伝導熱を移動させる作用は、次に示す通り顕著になる。
【００４５】
即ち、図１０（ａ）に示すポイントＡ，Ｂ，Ｃは、光源２の放電部の近傍、光源２の先端の近傍、及びリフレクタ３の内側に、それぞれ定められた測定点を指している。光源２に通電させた後、約３５分〜４０分が経過するまでの間、上記の測定点毎に、熱電対による温度測定を行ったところ、表１の結果が得られた。比較例として、ヒートパイプが接続されていないガラス製のリフレクタに、光源２を取付け、上記のポイントＡ，Ｂに相当する測定点の温度について測定を行ったところ、表２の結果が得られた。表２の線Ｅ，Ｄは、伝熱ハウジング６の２つの通気孔６４の一方に進入する空気、及び他方から排気される空気のそれぞれの温度を参考値として示している。
【００４６】
【表１】
2008226638.tif 000003
【表２】
2008226638.tif 000004
【００４７】
表１，２を対照すれば、本実施例に係る光源放熱装置のポイントＡの温度は、比較例より約３００度（摂氏）低くなり、同装置のポイントＢの温度は、比較例より約１００度低くなることが明らかである。このような効果は、リフレクタ３の材質によらず達成できるので、支持材４１は、金属ブロックである必要はなく、ガラス、結晶化ガラス、又はセラミック等を材料とするものであっても良い。
【００４８】
尚、本発明は、その趣旨を逸脱しない範囲で当業者の知識に基づき種々の改良、修正、又は変形した形態で実施し得るものであり、これらの形態は何れも本発明の範囲に属する。例えば、光源放熱装置１の伝熱ハウジング６を省略し、凹レンズ５１及びリフレクタ３を照射装置１５の筐体１６４に直に位置決めしても良い。或いは、光源放熱装置１の函形支持体１１を省略し、コールドミラー８及び吸収体９を、筐体１６４に直に位置決めしても良い。
【産業上の利用可能性】
【００４９】
本発明は、透過型液晶プロジェクタに限らず、反射型液晶プロジェクタやＤＬＰプロジェクタにも適用されるものである。更に、本発明の光源放熱装置は、装飾品、展示品、広告、又は舞台を照明するための光源を放熱するのにも使用することができる。
【図面の簡単な説明】
【００５０】
【図１】本発明の実施例１に係る光源放熱装置の後部の外観を示す斜視図。
【図２】本発明の実施例１に係る光源放熱装置の内部を示す断面図。
【図３】本発明の実施例１に係る光源放熱装置に適用した光源ユニットの破断斜視図。
【図４】本発明の実施例１に係る光源放熱装置に適用した分光吸収手段の平面図。
【図５】本発明の実施例１に係る光源放熱装置の前部の外観を示す斜視図。
【図６】本発明の実施例２に係る照射装置の内部を示す斜視図。
【図７】本発明の実施例２に係る照射装置の内部の概略を示す平面図。
【図８】本発明の実施例３に係る光源放熱装置に適用した光源ユニットの分解斜視図。
【図９】本発明の実施例３に係る光源放熱装置に適用した光源ユニットの組立斜視図。
【図１０】（ａ）は本発明の実施例３に係る光源放熱装置に適用した光源ユニットの断面図、（ｂ）はその他例を示す断面図。
【図１１】本発明の実施例３に係る光源放熱装置を含む照射装置の構成を示す支持材図。
【符号の説明】
【００５１】
１：光源放熱装置
２：光源
３：リフレクタ
４：光源ユニット
５：射出口
６：伝熱ハウジング
７：分光吸収手段
８：コールドミラー
９：吸収体
１０，１１０，１２０：放熱手段
１５：照射装置
１６：電源装置
４１：支持材
４３：ランプ挿入孔
６１：嵌入孔
ｈ１，ｈ２，ｈ４：ヒートパイプ
ｈ３：電源用ヒートパイプ
【図１】
2008226638.tif 000005
【図２】
2008226638.tif 000006
【図３】
2008226638.tif 000007
【図４】
2008226638.tif 000008
【図５】
2008226638.tif 000009
【図６】
2008226638.tif 000010
【図７】
2008226638.tif 000011
【図８】
2008226638.tif 000012
【図９】
2008226638.tif 000013
【図１０】
2008226638.tif 000014
【図１１】
2008226638.tif 000015